(57)【要約】【課題】横渡しの丸棒あるいは板の縁に、紙片を掲示する留め具を得ること。そのための課題として、挟み口の最奥あるいは奥寄りの位置でも、挟み押えるバネが働く形態のものにすること。【解決手段】その形態の１つは、図１、１５、１８、２１に示す如きもので、天部、表押え、裏押えで成る２つの形枠を有し、該２つの形枠を表押えの側で一対に連結して成り、連結された２つの形枠は、正面から見るかたちに於いて、それぞれ、天部は、ほぼ真っ直ぐ横に延びて、その一方の端から表押えが、もう一方の端から裏押えが、共に下方に向いて延び、行き違う形態を成すもの。もう１つの形態は、図２３、２４に示す如きもので、天部、表押え、裏押えで成る形枠を成し、正面から見るかたちに於いて、表押えと裏押えの下端に、外方（左外方ならびに右外方）に向いて張り出した部分をもつもの、あるいは図２０に示す如きもので、表押え又は裏押えのどちらか片方に滑り止めの措置をもつものとした。【選択図】  図２１
2011206533.tif 000002
【特許請求の範囲】
【請求項１】
（イ）本留め具は、天部、表押え、裏押えでなる２つの形枠を有し、該２つの形枠を表押えの側で一対に連結して成る、
（ロ）連結された２つの形枠は、正面から見るかたちに於いて、天部、表押え、裏押えで成る形枠を呈して左右に並ぶ、
（ハ）連結された２つの形枠は、それぞれ正面から見るかたちに於いて、天部は、ほぼ真っ直ぐ横に延び、その一方の端から表押えが、もう一方の端から裏押えが、共に下方に向いて延び、交叉する、
下方に向いて延び、交叉するかたちに於いて、表押えと裏押えは、共に斜め下方に向いて延び、縦斜め方向から交叉し合う、あるいは、表押えと裏押えのどちらか片方が斜め下方に向いて延び、もう片方に対し縦斜め方向から交叉する、
（ニ）以上の如き特徴を有して成る留め具。
【請求項２】
裏押えの先端（下端）から、上方に向いて延びる部分を設けた請求項１記載の留め具。
【請求項３】
正面から見るかたちに於いて、裏押えの下端に、外方（左外方ならびに右外方）に向いて張り出した部分をもつ請求項１記載の留め具。
【請求項４】
（イ）本留め具は、天部、表押え、裏押えでなる形枠を有す、
（ロ）該形枠は、正面から見るかたちに於いて、天部は、ほぼ真っ直ぐ横に延び、その一方の端から表押えが、もう一方の端から裏押えが、互いに向い合う方向に鋭角に折れて延び、斜め方向から交叉し合う
（ハ）正面から見るかたちに於いて、裏押え（又は表押え）の下端から折り返して、縦の中央部に、上方に延びる部分をもつ、
（ニ）以上の如き特徴を有して成る留め具。
【請求項５】
（イ）本留め具は、天部、表押え、裏押えで成る形枠を有す、
（ロ）該形枠は、正面から見るかたちに於いて、天部は、ほぼ真っ直ぐ横に延び、その一方の端から表押えが、もう一方の端から裏押えが下方に向いて延びる、
下方に向いて延びるかたちに於いて、表押えと裏押えは、互いに向い合う方向に鋭角に折れて延び、縦斜め方向から交叉し合う、
（ハ）正面から見るかたちに於いて、表押えと裏押えの下端に、外方（左外方ならびに右外方）に向いて張り出した部分をもつ、
（ニ）以上の如き特徴を有して成る留め具。
【請求項６】
（イ）本留め具は、天部、表押え、裏押えで成る形枠を有す、
（ロ）該形枠は、正面から見るかたちに於いて、天部は、ほぼ真っ直ぐ横に延び、その一方の端から表押えが、もう一方の端から裏押えが下方に向いて延びる、
下方に向いて延びるかたちに於いて、表押えと裏押えは、互いに向い合う方向に鋭角に折れて延び、縦斜め方向から交叉し合う、
（ハ）正面から見るかたちに於いて、挟み合う片方の側（表押え又は裏押え）に滑り止めとなり得る措置を施して成る、
（ニ）以上の如き特徴を有して成る留め具。
【請求項７】
２枚に折れて添い合う（あるいは挟み合う）モジュールと、請求項３又は５記載の留め具との組み合わせ。
【発明の詳細な説明】
【技術分野】
【０００１】
ドラッグストアー、スーパー、コンビニなどで使用している商品陳列棚、あるいは商品陳列台の縁には、棒柵や板柵が張られている。本発明は、主として棒柵など、横渡しの棒（以下、丸棒とも云う）にチラシや値札などの紙片（以下、紙片とも云う）を掲示するための留め具（クリップ）に関する。
【背景技術】
【０００２】
棒柵は、商品陳列棚や、商品陳列台のメーカーの違い、種別、部位により任意の太さのものが使用されている。
棒柵は、概ね、太さ（径）が３〜１０ミリ程の丸棒（丸鋼）である。
【０００３】
従来、丸棒に紙片を掲示する（挟み付ける）ために、目玉クリップ（通称）を使用したり、セロハンテープ（通称）を使用したりしている。
目玉クリップの使用は、挟み口（のバネ）を開閉するための「操作つまみ」が、目障りであり、邪魔にもなる。セロハンテープの使用は、貼り付け（張り付け）が面倒な上に、剥した跡が汚れたりする。
本発明は、挟み口（のバネ）を開閉するための「操作つまみ」をもたない形態として、二手に折り曲がったかたちを以って挟み付く留め具（挟み具）に関するものである。
【０００４】
丸棒は、図１３のＡ3、Ｂ3 に示すように、挟み口の最奥寄りの位置に嵌り込んでしまうものである。然れども、一般的に、挟み口の最奥寄りの位置は、挟み押えるためのバネが、ほとんど働かない（効かない）部位である。
従って、丸棒に嵌め付けることができたとしても、きつい状態か、または緩い状態かのどちらかである。
「バネの働きを以って挟んでいる状態」でない限り、フィット（ｆｉｔ）した状態で丸棒に挟み付くことはできない。延いては、紙片を適切に挟み付けることもできない。
【０００５】
先行技術文献として、思しきものを下記に示したが、従来、丸棒に挟み付く（取り付く）と同時に、紙片を直に、丸棒に挟み付ける使い方に適したものはない。
【０００６】
特許文献１のものは、正面から見るかたちとして、Ｘ字状の交叉するかたちが、本出願の図２３、２４のものに似ている。然れど、天部のかたちに於いて、機能の面で全く異なるものである。本発明のものは、天部が横に真っ直ぐ延びるかたちをとるものである。このことは、挟む対象の板の厚みに対応するかたちとして、板の上縁を角度（傾き）を変えつつ滑って、板の厚みに対応するためである。特許文献１のものの場合、天部が湾曲しており、板の縁に取り付けたとき、板の縁に嵌りついてしまい、板の厚みに対応することができない。また、板の厚みに対応して、挟み幅を調節し得るに足る挟み幅をもつものでない、また、もち得る形態のものでもない。
【０００７】
特許文献２、３、４、５、６のものは、挟み合う相対の向い合う形態が、本留め具とは異なるものである。
【０００８】
特許文献７のものは、本出願の図２３、２４のものに似ている。特許文献７のものは、いみじくも本出願の図２３、２４に示すものについての特徴を浮かび上がらせるものである。
即ち、特許文献７の第２図に示されているものは、Ｘ字状に交叉した下端を基点（あるいは起点）にしてみるとき、本出願の図２３、２４に示すものと対比して、左方の下端から左外方に出っ張る部分をもつものでない（上方に折り返している）。また、斜め右方の下端から右外方に出っ張る部分をもつものでない（上方に折り返している）。
特許文献７の第２図に示されているものは、線の長さ或いは面の大きさに均等にバネの作用（挟み合う作用）が掛かる形態のものである。
これに対し、本出願の図２３、２４で示すものは、Ｘ字状に交叉した下端から左外方に張り出した部分（円め折った部分）、及び右外方に張り出した部分（円め折った部分）に集中的に（あるいは偏って）バネの作用（挟み合う作用）が働くかたちにしたものである。
【０００９】
従来、丸棒に紙片を掲示する手段として多く使われているものは、特許文献８に示す類のもので、プラスチックの薄片を３つに折り曲げたもので、一方の曲がりを丸棒に引っ掛け、もう一方の曲がりで紙片を下支えするかたちで使用するものである。従って、限られた小さめサイズの紙片しか掲示することができない。
販売促進を図るためには、適宜のサイズの紙片を掲示し得る留め具が必要である。
【先行技術文献】
【特許文献】
【００１０】
【特許文献１】特願２００２−２０１３１９
【特許文献２】実願昭５７−１１４６７４
【特許文献３】実願平５−３２１３３
【特許文献４】特願昭５０−１０２９７
【特許文献５】特願平１１−１１１２１５、特開２０００−３３５１６０
【特許文献６】実願平３−１０５９６８
【特許文献７】実開昭６０−１２４８０
【特許文献８】実願２０００−２８２１
【発明の概要】
【発明が解決しようとする課題】
【００１１】
本発明の主たる課題は、丸棒に紙片を掲示する留め具を得ることである。
【００１２】
そのための具体的な課題は、挟み口の最奥あるいは奥寄りの位置でも、丸棒を挟み押えるバネが働く形態のものにすることである。
【課題を解決するための手段】
【００１３】
本発明の留め具について説明する。
（イ）本留め具は、天部、表押え、裏押えでなる２つの形枠を有し、該２つの形枠を表押えの側で一対に連結して成る、
（ロ）連結された２つの形枠は、正面から見るかたちに於いて、天部、表押え、裏押えで成る形枠を呈して左右に並ぶ、
（ハ）連結された２つの形枠は、それぞれ正面から見るかたちに於いて、天部は、ほぼ真っ直ぐ横に延び、その一方の端から表押えが、もう一方の端から裏押えが、共に下方に向いて延び、交叉する、
下方に向いて延び、交叉するかたちに於いて、表押えと裏押えは、共に斜め下方に向いて延び、縦斜め方向から交叉し合う、あるいは、表押えと裏押えのどちらかの片方が斜め下方に向いて延び、もう片方に対し縦斜め方向から交叉する、
（ニ）以上の如き特徴を有して成る留め具である。
【００１４】
本留め具は、正面から見る２つの形枠が、側面から見る１つの形枠（挟み口）になる形態の留め具である。
正面から見る２つの形枠が、共に縦軸に向きを変えたとき、その形枠は、側面から見る形枠（挟み口）を成すものになる。
「向き」は、丸棒に挟み付けることによって変えられ、「向き」が変わる作用によってバネが生まれる。
【００１５】
本留め具は、丸棒の太さに対応した挟み幅を備えたものである。
本留め具は、丸棒に挟み付けたとき、丸棒に依って挟み口が押し広がる形態をとったものである。
【００１６】
本留め具は、丸棒を挟み口に押し込んだとき、丸棒の押し入る作用が、効果的に挟み幅（側面から見る天部の幅）を押し広げる作用に働くかたちとして、表押えと裏押えが、天部から脇を狭めるかたちで、ほぼ真っ直ぐに延びて交叉する形態をとっている。
この狭まっている脇に、下方から押し広げつつ丸棒が押し入ったとき、その作用は、正面から見る形枠を、効果的に、側面に向きを変えさせるものとなる。
【００１７】
丸棒によって「押し広がること」が、「正面から見る形枠」を「側面から見る形枠に向きを変える」ことに通じ、「向きが変わること」が「側面から見る形枠（挟み口）の挟み幅が広がる」ことに通じる留め具である。
因みに、丸棒に取り付けることによって押し広がる部位は、挟み口の間口寄りの部分は元より、挟み口の最奥部分、即ち、挟み口を成す形枠自体（側面から見た状態に於ける天部の幅）である。
【００１８】
本発明の留め具は、丸棒の太さに対応して挟み幅（側面から見る天部の幅）が広がり得る形態を備えたことである。
依って、挟み幅は、対象とする丸棒の太さよりも、やや狭く見える幅になっていることが前提である。
云い換えるなら、本発明は、対象とする太さの丸棒に、組み合せて或いは組み付けて使用する留め具であって、適度の抵抗を受けながらも、対象とする丸棒の太さに、無理なく押し込み得る通り幅（挟み幅）の挟み口を成した留め具である。
【００１９】
太さが太めの丸棒、例えば、径が４〜６ミリ程の丸棒に挟み付ける留め具とする場合は、最初から相応の挟み幅として、側面から見る状態に於いて、天部の幅を、例えば１〜３ミリ程のものにしておき、太さが細めの丸棒、例えば径が２〜３ミリ程の丸棒に挟み付ける留め具とする場合は、最初から相応の挟み幅として、例えば挟み口を見えない程度のものにしておくことになる。
即ち、側面から見る様態として、「天部、表押え、裏押えでなる形枠（の挟み口）を呈した状態にしておくもの（以下、様態Ａと云う）」、ならびに、丸棒に挟み付けた時点で「天部、表押え、裏押えでなる形枠（の挟み口）を呈する状態になるもの（以下、様態Ｂと云う）」がある。
【００２０】
本留め具（の挟み口）は、丸棒に挟み付く、あるいは丸棒に付け外しするための形態、更には、挟み幅を押し広げるための形態として、表押えと裏押えの枠内面が、間口から奥行きまで、ほぼ真っ直ぐ、あるいは平らな面（枠内面）を成して延びる形態をとるものとした。
云い換えるなら「表押えと裏押えは、丸棒を板挟みするかたちに挟み押える形態」をとるものである。
【００２１】
丸棒の太さに対応して、挟み幅が押し広がるに足る備えとして、正面から見るかたちに於いて「天部は、ほぼ真っ直ぐに横に延びて成る形態」をとるものとした。
【００２２】
正面から見るかたちとして、３つの形態がある。
「表押えに対して、裏押えの先端が左右の外側に向かう形態（以下、形態ａとも云う）」、並びに「表押えに対して、裏押えの先端が左右の内側に向かう形態（以下、形態ｂとも云う）」、並びに「表押えに対する裏押えの先端が、それぞれ表押えの右側に向かう、または左側に向かう形態（以下、形態ｃとも云う）」の、３つである。
形態ａは、図１、２、３、１４、１５、１８、２１に示す如きものである。形態ｂは、図７、８、９に示す如きものである。形態ｃは、図１２に示す如きものである。
【発明の効果】
【００２３】
挟み付ける対象の丸棒の太さに対応して、挟み幅が、押し広がり得る形態、あるいは伸縮する形態のものにした。
押し広げられることによる応力が、挟み付く、あるいは挟み押えるためのバネとして作用し、挟み口の奥寄りに嵌まる丸棒をも、このバネによって挟み押えできるものとなった。
依って、丸棒にしっかり挟み付くと同時に、紙片をしっかり挟み留めることができる。    棒柵などの丸棒に限らず、板柵などの板の縁、あるいは段ボール箱の切り口の縁などに紙片を掲示することにも使用できる。
また、邪魔になる部分をもたない本留め具は、バインダーの表紙（板紙）に、紙片を挟み留める用途にも使用できる。バインダーは、紙片をクリップする或いは紙片をファイルする用具であるが、時々に発生する付加書類などを、表紙の裏や表に、仮留めする用途に便利に使用することができる。
【図面の簡単な説明】
【００２４】
【図１】本発明の実施形態を示す図である。
【図２】本発明の実施形態を示す図である。
【図３】本発明の実施形態を示す図である。
【図４】留め具を挟み付けた様子を説明する図である。
【図５】紙片を掲示した様子を説明する図である。
【図６】留め具の形態を説明する図である。
【図７】本発明の実施形態を示す図である。
【図８】本発明の実施形態を示す図である。
【図９】本発明の実施形態を示す図である。
【図１０】留め具を挟み付けた様子を説明する図である。
【図１１】紙片を掲示した様子を説明する図である。
【図１２】本発明の実施形態を示す図である。
【図１３】留め具の形態を説明する図である。
【図１４】本発明の実施形態を示す図である。
【図１５】本発明の実施形態を示す図である。
【図１６】本発明の実施形態を示す図である。
【図１７】紙片を掲示する様子を説明する図である。
【図１８】本発明の実施形態を示す図である。
【図１９】紙片を掲示した様子を説明する図である。
【図２０】本発明の実施形態を示す図である。
【図２１】本発明の実施形態を示す図である。
【図２２】留め具を挟み付けた様子を説明する図である。
【図２３】本発明の実施形態を示す図である。
【図２４】本発明の実施形態を示す図である。
【図２５】紙片を支持する様子を説明する図である。
【発明を実施するための形態】
【００２５】
本発明の留め具は、天部、表押え、裏押えで成る２つの形枠をもち、該２つの形枠を一対に連結して成るものである。
【００２６】
正面から見る形枠、並びに側面から見る形枠を「形枠」と云い、正面から見る天部の幅、並びに側面から見る天部の幅を「枠幅」と云う。
側面から見る形枠を「挟み口」とも云い、側面から見る枠幅（横幅）を「挟み幅」とも云う。
挟み口は、下方に向いて開放した形枠の下端寄りを「間口」あるいは「挟み入れ口」と云い、上端寄りを「口奥」あるいは「最奥」と云う。
【００２７】
本明細書で使用している「挟み幅が押し広がる」、あるいは「挟み幅が広がる」の文言は、「側面から見る状態に於ける天部の枠幅（横幅）が延びる（長くなる）と云うことに連動する意味合いをもつもの」であって、一般的に云うところの、挟み口あるいは挟み入れ口の隙間（空間）が、押し退けられて広がると云う意味ではない。
【００２８】
本明細書ならびに請求項の記載で、「正面から見るかたちに於いて、…表押えと裏押えが交叉する、あるいは交叉し合う」と記載している意味は、「交叉しているように見える」と云う意味であって、実際に交叉（接触）している場合もあれば、接触のないかたちで行き違っている場合もあり、その両方を意味するものである。
【００２９】
本明細書ならびに請求項の記載で、天部から折り曲がって延びる表押え、及び裏押えについて、「直角に折り曲がる、あるいは鋭角に折り曲がる」の表現を用いているが、「概ね直角を成す方向に折り曲がる、あるいは概ね鋭角をなす方向に折り曲がる」と云う意味であって、厳密な意味で直角あるいは鋭角に折り曲がるというものでない。
尚、折り曲りは、歪みや撓み（たわみ）も生じることから、明らかに鈍角の方向に延びるものの他は、「鋭角の範囲である」とする。
【００３０】
本留め具は、バネの働きを以って丸棒に挟み付く、あるいはバネの働きを以って丸棒を挟み押えることができるものとした留め具である。一般的に「挟む」と云う文言は、「物と物の間にさし入れて両側から固定する」、あるいは「物と物の間に入れて落ちないようにする」（広辞苑）など、広い意味をもつものであるが、本留め具は、丸棒が嵌り込む挟み口の最奥（天部）をバネが働くものにしたこと、そして「そのバネの作用を以って挟む」と云うものであって、本明細書に於いては、「挟む」と云う文言は「挟み口の最奥で働くバネの作用を以って挟む」とする意味合いをもつものである。
【００３１】
本発明の留め具は、表押えを表側（手前側）に、裏押えを裏側（向こう側）にして使用しなければならないものではない。裏押えを手前側に、表押えを向こう側（裏側）にして使用しても良いものである。
因みに、表押え、裏押えの呼称は、天部、表押え、裏押えでなる２つの形枠を、連結する側を表押えと云い、連結しない側を裏押えと称して区分している。また、１つの形枠でなる留め具（図１６、２０、２３、２４のもの）の場合、どちらかの側を表押えと云い、もう片方の側を裏押えという。
【００３２】
以下、図を追って本発明について説明する。
図は、挟み口（の間口）を下方に向けたかたちで示した。
本発明を説明する上で、図を見たままの状態で、裏、表、上、下、縦、横、左、右、向こう、手前の意味を使い分ける。
【００３３】
図１、２、３に示す如きものが、形態ａのものである。
その特徴は、天部、表押え、裏押えでなる２つの形枠を、正面方向から見るかたちに於いて、表押えに対し、裏押えを左右の外側に向かうかたちに連結する形態である。
【００３４】
図１は、形態ａの代表図である。
図１(１)は、正面方向から見た斜視図である。図１(２)は、側面図である。図１は、表押えに対し裏押えの丈を長くしたものである。また、左右の形枠を連結する部分の長さを長めにした（図２のものに比べて）ものである。
【００３５】
図２は、左右の形枠を連結する部分の横の長さを短く（図１のものに比べて）したもので、左右の形枠を連結する部分の長さ、及び連結する部分のかたちは、任意であることを説明するものである。
図２(１)は、正面方向から見た斜視図である。図２(２)は、側面図である。
【００３６】
図３は、図１のものが、表押えよりも裏押えの方を丈長くしたものであるのに対し、裏押えよりも表押えの方を丈長にしたものを示し、裏押えと表押えのどちらを長くしても良いことを説明するものである。
また、図１、２のものが、裏押えが表押えに斜めに行き違って、更に延びるかたちをとっているものに対し、斜めに行き違って、その先に延びて行かないかたちをとったものを示し、斜めに行き違って、更に先に延びて行くかたちをとっても、行き違ってとどまり、その先に延びて行かないかたちをとっても良いことを説明する図である。
図３(１)は、正面方向から見た斜視図である。図３(２)は、側面図である。
【００３７】
図４は、図１のものを丸棒に取り付けた（挟み付けた）様子を示した図である。
【００３８】
図５は、図１の留め具を以って、丸棒に紙片を掲示した様子を示した図である。
因みに、図では１つの留め具を用いているが、複数の留め具を用いるのも良い。大小の留め具を使い分けるのも良い。
【００３９】
図６は、形態ａのものについて、代表図（図１のもの）を以って、挟み付くためのバネの働き、並びに丸棒に挟み付ける前と、挟み付けた後の形態について説明する図である。        
図６(１)は、正面方向から見た斜視図である。
ｍ1、ｍ2は、表押えの上端を、ｎ1、ｎ2は、裏押えの上端を指しているものである。
【００４０】
図６(２)は、丸棒に挟み付ける前の天方向から見た平面図で、図６(１)で示した表押えと裏押えの上端の位置をプロットした図である。
図６(２)で示すように、左右に連結した２つの形枠の表押えの上端（ｍ1とｍ2）を結ぶ線ｍ、並びに、裏押えの上端（ｎ1とｎ2）を結ぶ線ｎは、間隔（ｐ）をあけ、平行して延びている。
また、表押えの上端（ｍ1）と裏押えの上端（ｎ1）を結ぶ線ｍｎ1、並びに、もう一方の表押えの上端（ｍ2）と裏押えの上端（ｎ2）を結ぶ線ｍｎ2は、共に平行線ｍ及びｎに対して斜めに交叉するかたちを成している。
このことは、線ｍと線ｎが間隔をあけ、並行して延びていることで、立体的な挟み口を有していることを証明しているものである。また、線ｍｎ1、並びに線ｍｎ2は、平行線ｍおよびｎに対して斜めに交叉するかたちを成している。このことは、挟み口の内側から押し広げる作用を受けたとき、裏押え（ｎ1、ｎ2）の位置がそれぞれ矢印の方向にずり動くかたちで、傾きが起こされ、挟み幅（ｐ）が押し広がり得る形態を成していることを証明しているものである。
【００４１】
図６(３)は、丸棒に挟み付けた後の、天方向から見た平面図で、ｎ1とｎ2の間隔が広がったかたちを以って、挟み幅（ｐ）が押し広がった状態を証明しているものである。
【００４２】
「天部の挟み幅が押し広がる」と云っても、容易に、自在に、当たり前に押し広がるものではなく、また、充分な幅を押し広げできるものでもない。
留め具を丸棒に押し込んだときの、表押えと裏押えの間隔（挟み幅）が押し広がる作用を、天部の挟み幅を押し広げる作用に、不都合なく働くものにしなければならない。
本留め具の技術的な主題は、このことにある。
【００４３】
然様な作用に働くための呼び水となるのは、「対象とする丸棒の太さに、適度の抵抗を受けながらも、無理なく押し込み得る通り幅の、開放された立体の挟み口（側面から見る形枠）をもったこと、殊に側面から見るかたちで、天部が横に延びるかたちを呈する形態をとったこと」、及び、「天部の形態が、表押えと裏押えを斜め向い合せに繋いでいること、即ち、天部の挟み幅が押し広がるに足る余裕の長さをもったこと」である。
これに依って、僅かな幅であれば、無理なく挟み幅が押し広がる（あるいは伸縮する）ものとなった。
【００４４】
本発明（の留め具）の妙は、押し広がる僅かな幅の何倍も太い、あるいは何倍も厚いものに挟み付くことができると云うことである。
そのため、本留め具は、対象とする丸棒の太さよりも、やや狭い幅で開放した状態の挟み口をもつものとした。
【００４５】
上記したように、本発明の留め具は、留め付けたとき、挟み口を成す形枠の枠幅自体が、丸棒の太さに対応した（丸棒にフィットした）ものになると同時に、挟み口の最奥部分をバネ（挟み押える機能）が働くものにしている。依って、留め具は丸棒にしっかり挟み付き、同時に紙片をしっかり挟み留めることができる。
【００４６】
図７、８、９に示す如きものが、形態ｂのものである。
その特徴は、天部、表押え、裏押えでなる２つの形枠を、正面方向から見るかたちに於いて、表押えに対し、裏押えが左右の内側に向かうかたちに連結する形態である。
【００４７】
図７は、形態ｂの代表図である。
左右の形枠の間隔をやや隔てた（図９のものに比べて）構成にしたものである。因みに、正面から見る形状として、左右の形枠を接し合うほどに近づけても、間隔を広めにしても良いことを説明するものである。
図７(１)は、正面方向から見た斜視図である。図７(２)は、側面図である。図７(３)は、天方向から見た平面図である。
【００４８】
図８は、裏押えが、表押えに斜めに行き違ってとどまり、その先に延びて行かないかたちをとったものである。
図８(１)は、正面方向から見た斜視図である。図８(２)は、側面図である。
【００４９】
図９は、裏押えが、表押えに斜めに行き違ってから、反れたかたちをとったものである。
図９(１)は、正面方向から見た斜視図である。図９(２)は、側面図である。
【００５０】
図１０は、図７のものを丸棒に取り付けた（挟み付けた）様子を示した図である。
【００５１】
図１１は、図７の留め具を以って、丸棒に紙片を掲示した様子を説明したものである。
【００５２】
図１２に示す如きものが、形態ｃのものである。
その特徴は、天部、表押え、裏押えでなる２つの形枠を、正面から見るかたちに於いて、裏押えが、それぞれの表押えの左側、または右側に向かうかたちに連結する形態である。
【００５３】
図１２は、天部、表押え、裏押えでなる２つの形枠を、正面方向から見るかたちに於いて、裏押えが、それぞれの表押えの右側に向かうかたちに連結したものである。
図１２(１)は、正面方向から見た斜視図である。表押えの丈の長さを左右で異なるものにしているが、この形にすると挟み付ける上で極めて使い易い。因みに、表押えも裏押えも、丈の長さは左右で異なるものにしても良いことを説明するものである。
図１２(２)は、側面図である。図１２(３)は、天方向から見た平面図である。
【００５４】
図１３は、挟み口（側面から見る状態に於ける形枠）を説明する図である。
【００５５】
図１３（Ａ）を以って、様態Ａの挟み口を説明する。
様態Ａは、太さが太め（おおよそ４ミリ以上の径）の丸棒に挟み付ける場合の様態である。
Ａ1、Ａ2 は、丸棒に挟み付ける前の様態である。Ａ3 は、丸棒に挟み付けた状態における様態である。
Ａ1 は、天部から延びる表押えと裏押えが、口奥から間口にかけて徐々に狭まるかたちを呈している。Ａ2 は、口奥から間口までほぼ同じ幅で開放した挟み口を呈している。
Ａ1、Ａ2 のどちらの様態であっても良いが、Ａ1 の方が、安定した状態に挟み付く上で望ましい。
対象の丸棒に挟み付けたとき、Ａ3 に示すように、挟み幅（天部の幅）が僅かに押し広げられたものになる。
【００５６】
図１３(Ｂ)を以って、様態Ｂの挟み口を説明する。
様態Ｂは、太さが細め（おおよそ３ミリ以下の径）の丸棒に挟み付ける場合の様態である。
Ｂ1、Ｂ2 は、丸棒に挟み付ける前の様態である。側面から見て天部が挟み幅を呈していない様態のものである。Ｂ3 は、丸棒に挟み付けた状態に於ける様態である。
Ｂ1 は、表押えと裏押えの上端を同一線上で繋いでいるものである。即ち、側面から見て、表押えと裏押えは重なり合った状態を呈している。
Ｂ2 は、側面から見た状態として、表押えと裏押えの位置を僅かに違えた状態に繋いでいるものである。上端から下端まで表押えと裏押えが添い合った状態を呈している。
Ｂ1、Ｂ2 のどちらの様態であっても良いが、Ｂ2 の方が、挟み口を押し広げる上で望ましい。
対象の丸棒に挟み付けたとき、Ｂ3 に示すように、挟み幅（天部の幅）が僅かに押し広げられたものになる。
【００５７】
本留め具は、正面から見るかたちで、表押えと裏押えが、天部から狭まるかたちで延びて交叉しているものであるから、この形枠が向きを変えたとき、側面から見る形枠（挟み口）は、自ずから間口にかけて僅かに狭まったかたちを成すものであり、このかたちが、両脇やや下方から丸棒を抱え上げて支持する上で有り難い特性をもっているものである。
依って、対象とする丸棒に挟み付けた状態に於いて、間口幅が天部の挟み幅を超えない程度に収まる状態で使用されることが望ましい。
【００５８】
因みに、挟み口が押し広げられ、挟み付けられた後に於いても、更に押し広げられ得るに足る余力を残して挟み付くものにしておくことが、元の形状に戻るため、あるいは挟み付くバネが弾力的に働くための要件である。
【００５９】
以上に、本留め具の基本的な構成を説明した。
本留め具は、丸棒に紙片を掲示するためのものである。依って、留め具自体が安定した状態に取り付くこと、延いては紙片がずり落ちないように支持することなど、技術的な要件を備えたものである。更に、紙片を掲示する目的に適うものとして、如何に目立たないものにするか、如何に紙面に被らないものにするか、如何にシンプルなものにするかなどのことを念頭にして開発したものである。
然し、見方によれば、バネの作用を以って丸棒に挟み付く技術、あるいはバネの作用を以って丸棒を挟み押える技術そのものである。
【００６０】
上記したように、丸棒に挟み付く、あるいは丸棒を挟み押える基本的な技術そのものであると見るとき、その基本技術を応用する道が考えられる。
即ち、丸棒に取り付けたい「何かのもの」、あるいは丸棒を支持したい「何かのもの」に、本技術を付け合せて、或いは組み合せて利用する道である。
図１４に示すものは、上記の「何かのもの」に付け合せる、あるいは組み合せる使い方をする場合の手掛かりとなる一例として、表押えの側に、下端からの「折り返し部分（ｘ）」を設けたものである。
【００６１】
図１４は、図１に示したものをベースにしたものである。図１４(１)は、正面方向から見た斜視図である。図１４(２)は、側面図である。図１４(３)は、天方向から見た平面図である。
【００６２】
上記の「折り返し部分」は、「何かのもの」と、付け合せる或いは組み合せる手掛かりとなるかたちの一案を示したもので、「折り返したかたち」自体に意味をもたせているものではない。要は、「手掛かりをもたせた」こと自体に意味をもたせているものである。その「手掛かり」を如何なるかたちにするかは、特定しているものではない。即ち、請求項に記載する権利が、本発明の技術を、利用あるいは適用する「何かのもの」に及ぶものであることを説明しているものである。
【００６３】
図１５に示すものは、図１を応用したものである。
図１５(１)は、正面方向から見た斜視図である。図１５(２)は、側面図である。図１５(３)は、天方向から見た平面図である。
図１５で示すものは、裏押えの先端（下端）から、上方に折り返して延びる部分（以下、挟み留め部、あるいは挿し留め部とも云う）を設けたもので、丸棒に限らず板の縁あるいは段ボール箱の切り口の縁などに挟み付き、紙片（但し、腰のある紙片）を下方から支持して掲示することができるものである。この形態は、紙片を下方から挟持するものであるが、殊に段ボール紙片を掲示紙片とし、段ボール紙片の板厚の断面に有する穴目に挿し留め部を挿し込んで、あるいは板厚の内に刺し込んで、支持し掲示する用途に適している。
また、上下を逆にして使用し、段ボール箱の隣り合う２枚の蓋を起こし立て、蓋を開放した状態に固定する留め具として使用することができる。即ち、段ボールの板厚の断面から板厚の内にある穴筋に挿し留め部を挿し込んで、留め押えるかたちで使用することができる。殊に、段ボールの蓋を開放し、商品が入ったまま陳列している八百屋などの店頭では、多用途に使用できるので重宝である。
【００６４】
図１６に示すものは、図１５を応用したものである。
図１６に示すものは、図１５に示したものと同様に使用するもので、図１５に示したものと同様に、「裏押えの先端（下端）から、上方に折り返して延びる部分（ｗ）」を設けたものである。
図１６に示すものは、図１５のものと異なり、２つの形枠を連結していないので丸棒に挟み付くことはできないが、板状のものの縁に挟み付けて使用する分には、問題なく使用し得るものであって、シンプルである上に、その効果は、図１５に示したものに対しても遜色はない。
図１６(１)は、正面方向から見た斜視図である。図１６(２)は、様態Ｂのかたちを以って示した側面図である。
【００６５】
図１５、１６に示したものを以って、段ボール紙片を掲示紙片あるいは台紙として、支持し掲示する用途に使用する場合は、上方に折り返して延びる部分が挟み留め部、あるいは挿し留め部としての用に足り得るよう、相応に強度のある線材（筋線）を使用するのが良い。
図１５、１６について実施例では、＃１２（２．６〜２．５ミリ径）の針金を使用し、２つの形枠を連結する部分の長さ５センチ、表押えの長さ４センチ、裏押えの長さ５センチ、天部の長さ（天幅）１．５センチ、挿し留め部（ｗ）の長さ６センチで実施した。据え付き状態、使用感は良好であることを確認した。
上記は、実施例の１つを参考のために示したもので、使用する部材、大きさなど任意の設定で良い。
【００６６】
図１７は、丸棒に限らず板柵などの板の縁、あるいは段ボール箱の切り口の縁に紙片を挟み留める用途にも使用できることを説明する図である。
図１７(１)は、段ボール箱の切り口の縁に、図１５に示したものを留め付けた様子を示したものである。図１７(２)は、図１７(１)に示した状態に取り付けた留め具に、段ボール紙片を掲示した様子を示したものである。図１７(３)は、図２０で説明する留め具を以って、紙片を掲示した様子を示した図である。
【００６７】
図１８は、図１に示したものに滑り止めの措置（ｙ）を施した例を示すものである。実施例では、肉厚１ミリほどのゴム質のチューブを被せて成した。
図１８(１)は、正面方向から見た斜視図である。図１８(２)は、側面図である。
滑り止めの措置を施すと云うことは、挟み付けに於いて、滑り込むように押し込むことができ難くなる。無理に挟み付ければ（押し込めば）滑り止めの措置が損傷してしまうことにもなる。本留め具に於いては、「滑り止めの措置は、挟み合う片方の側にのみ施す」ものである。挟み付け（取り付け）に於いては、滑り止めの措置を施した側（の内側）に紙片を宛がって挟み付ける（あるいは押し込む）ことで、滑り止めを施した面が、取り付く対象（板や丸棒）に接しないかたちで挟み付けることができる。
【００６８】
図１９は、図１８のものを以って紙片を板の縁に掲示した様子を示すものである。紙片は、ずり落ちないよう安定した状態に掲示し得ることを確認した。
【００６９】
図２０で説明するものは、図１８を応用したものである。
図２０は、挟み合う片方の側に滑り止めの措置（ｙ）を施した例である。２個１組にして使用しても良いし、小紙片を掲示する場合ならば１個の使用でも良い。
図２０(１)は、正面方向から見た斜視図である。図２０(２)は、側面図である。
【００７０】
図２１は、正面から見るかたちに於いて、交叉するかたちで向い合う裏押えの下端に、外方（ｅの対角方向）に張り出す（出っ張る）部分（ｆ）を設けたものである。
例えば、図３あるいは図８に示した円め折りは、先端の尖りを無くす（突き刺さる危険を防ぐ）ために折り曲げたもので、丸棒あるいは板の縁に取り付けた状態に於いて、即ち、挟み口が押し広げられたとき、円め折った部分は側面から見る挟み口の内側に突き出るものでない。即ち、挟み口が押し広げられた状態に於いて、円め折った部分は、側面から見る挟み口の内側には突き出ない（邪魔にならない）ようにしているものである。
これに対し、図２１に示すものは、挟み口が押し広げられたとき、即ち、丸棒に取り付けたとき、側面から見る状態で、外方向に出っ張る部分（ｆ）が、僅かであるが挟み口の内側に突き出るかたちに動じる作用を受ける。この突き出る作用を利用したものが、図２１（及び図２３、２４）に示したものである。その作用は、図２２(１)に示すように、板の縁に紙片を掲示する場合であれば、紙片をしっかり挟み押える作用に働く。
また、図２２(２)に示すように取り付いて、横渡しの板を支持する場合であれば、該板の下（板厚部分）に絡み付き、該板を落ちないように（抱きかかえるように）支持する作用に働くものである。
因みに、図２１で説明した出っ張る部分（ｆ）は、その図で示すように、裏押えの先端（下端）を中心点にして十字を切った（描いた）とき、ｅの対角側に突き出るかたちをとるものである。  円め折った部分（ｆ)について、その機能を確かにするために、予め（留め具を作る段階で）、側面から見る状態に於いて、挟み口の内側に突き出たかたち（あるいは張り出したかたち）のものにしておいても良い。
尚、上記の出っ張る部分（ｆ）について、円く、円め折ったかたちで示しているが、機能を損なわない限り、任意の形状形態を成すものにしても良い。
【００７１】
図２３に示すものは、図２１を応用したもので、挟み合う両方（表押えと裏押え）の下端に、上記した機能（外方に張り出た部分）を設けたものである。表裏（表押えと裏押え）の区分なく使用できて便利である。出っ張る部分（ｆ）は、図２１の場合と同様ｅの対角側に突き出るかたちをとるものである。
【００７２】
図２４に示すものは、図２３を応用したものである。天部の上に、円め折りを設けたもので、付け外し操作のための「つまみ」として、あるいは吊り輪としても使用できる。図２３のものと同じく、挟み合う（表押えと裏押えの）両下端に外方に張り出した部分をもつものである。
【００７３】
図２５は、２枚に折れる状態に成した板の間に紙片を挟み、その外側から本留め具（図２４のもの）を以って挟み付け、吊り下げる状態（に掲示する様子）を示した図である。
２枚に折れる板（Ｍ）は、向こう側に折れる板と、手前側に折れる板の板幅（上下幅）は同じにし、内側に滑り止めを施した。また、板幅（上下幅）は、留め具が抱え得る適切な幅にした。留め具は、２枚に折れた板を脱落しないかたちで挟持するとともに、板の間に挟んだ紙片もずり落ちないようしっかり挟持するものになった。
【００７４】
上記した２枚に折れる板（以下、挟み板とも云う）を１つのモジュールとして位置づけ、該モジュールと本留め具とを組み合せることで、有効な使い方ができる。
【００７５】
以上、図を基にして説明した。以下に、実施する上での留意事項を説明（補足）する。
【００７６】
本発明の実施過程では、＃１６（１．６〜１．５ミリ径）の針金およびステンレス線を使用して多くの実施をした。例えば、４〜６ミリ径の丸棒に対応するためには、左右の形枠を繋ぐ長さ３０ミリほど、また表押えと裏押えを斜め向かいに繋ぐ天部の長さ１５ミリほどにした場合で、側面から見る形枠の挟み口あるいは挟み入れ口を、予め１〜３ミリほど開いた状態のもの（様態Ａのもの）にすることが適切であった。
然れど、撓りの度合いが大きいピアノ線を使用した場合では、結果が大きく違うものになり、１ミリ径のピアノ線を使用して、上記の場合と同じく４〜６ミリ径の丸棒に挟み付け得るものを成すとき、天部の幅を１０ミリほどに狭めた上に、平たく折り曲げて成したもの（様態Ｂのもの）にした場合であっても挟み付け得るものになった。
【００７７】
本留め具は、棒（や板）に挟み付ける留め具として、側面から見る形枠（の挟み口）が、対象とする棒の太さ（あるいは板の厚み）に対応して、その太さ（あるいは厚み）よりもやや狭い幅で、「開いた（口をあけた）状態を成すこと」あるいは「開いた状態に成り得ること」を前提とするものであるが、使用する部材の材質や太さの違い、および留め具の構成として、天部の長さ及び２つの形枠を左右に連結する部分の長さなどの違い、および対象とする棒の太さ（あるいは板の厚み）により、表押え、裏押えが、丸棒と当接する縦位置が異なることになる違いなどによって、バネの働きが大きく異なるものになる。
帰するところ、使用していない状態に於ける側面から見る形枠として、天部、表押え、裏押えで成る形枠（とその挟み幅）を呈する状態のものになるか、呈しない状態のものになるかは、上記した要件の複合に依って決まるものになる。
【００７８】
本明細書では、側面から見る形枠（の挟み口）が、「対象とする丸棒の太さ（や板の厚み）に対応して開いた挟み口を呈しているもの」、及び「開いた挟み口は呈していないが、対象とする丸棒の太さ（や板の厚み）に対応して挟み口を適切に開き得る形態をもつもの」として、「開放した形枠（の挟み口）を成している」あるいは「挟み口が開放されている」などの文言を使用した。
【００７９】
上記したように、本留め具の特徴（対象とする丸棒の太さに対応するための形態）に鑑み、本明細書ならびに本図面は、側面から見る状態に於いて、「口をあけた状態」の挟み口あるいは挟み入れ口を呈する場合のものを例にして説明した。因みに、店頭で見る状況では、４〜６ミリ径の丸棒（棒柵）が多く使用されていることから、本図面では、主として４〜６ミリ径の丸棒に対応するものとして、２〜３ミリ程の挟み幅（側面から見る天部の幅）を呈した様態Ａのものを図示し、これに基いて説明をした。
【００８０】
本留め具に使用する素材あるいは部材について、限定あるいは特定するものではないが、針金を使用した場合、挟み幅を自在に調整できるメリットがある。使用を重ねるうちにバネが緩く（挟み幅が広く）なっていくが、指で挟んで狭めることで、挟み幅を容易に調整することができる。
【００８１】
本留め具は、捻じれる作用を受けて元の状態に戻る素材、あるいは材質の部材でなること、同時に元の状態に戻るための応力が、挟み付くあるいは挟み押えるバネとなる素材あるいは材質の部材でなることが肝要である。因みに、使用する部材の材質や太さなどについて、限定あるいは特定するものではなく任意で良い。
【００８２】
天部、表押え、裏押えでなる形枠に関して、補足説明をする。
天部は、丸棒の稜線の上を、交叉する角度（傾き）を変えつつ滑る部分であるから、基本的に真っ直ぐ横に延びるかたち、或いは平ら（但し、枠内面側）に延びるかたちをとることが肝要である。
また、裏押えは、丸棒の稜線上を、枠幅の変化に応じて、僅かではあるが、回転移動あるいは捻じれながらスライドする部分であるから、基本的に真っ直ぐに延びるかたちをとることが肝要である。
【００８３】
天方向から見るかたちに於ける天部の長さ（天幅）は、任意の設定で良い。例えば、同じ太さの丸棒に対応する留め具を考えるとき、天部の長さを長いものにする場合は、傾きを大きく（折り曲がりの内角を小さく）し、天部の長さを短いものにする場合は、傾きを小さく（折り曲がりの内角を大きく）するかたちで調整すると良い。
【００８４】
連結される２つの形枠は、片方の側（表押え）で繋がり、もう片方の側（裏押え）はフリーにしておくことがきわめて重要である。裏押えがフリーであればこそ、不要な抵抗を受けずに挟み幅（天部の幅）が押し広がるものになる。また、２つの形枠の挟む機能（バネ）が別々に働き、挟み付ける上でも都合よく、挟み付けた状態に於いてもバランス良く効果的に挟み押えできるものになる。
【００８５】
本発明の課題は、丸棒に紙片を掲示することのできる留め具を得ることであり、その観点から、主として丸棒との係わりに於いての説明をしているが、板状のものの縁に挟み付ける用途のものとして考える場合は、「丸棒」を「板」に、また、「丸棒の太さ」を「板の厚さ」に読み換えていただきたい。
尚、丸棒の太さ、あるいは板の厚さは限定するものではない。
【００８６】
裏押えの先端（下端）は、取り扱う上での危険を防ぐために、鋼線を使用した場合、先端の切断部分は角をとるか、折り曲げるかの措置をとることが大切である。「頭薬がついたマッチ棒の先」のようにするのも一案である。先端寄りの部分を折り曲げて、デザイン化する或いは取っ手（つまみ）として使用するのも良い。
【００８７】
本発明は、全体の図（図１〜２５）を通して、発明の全容を説明しているものであって、個々の図で説明する具体的な技術内容によって、それぞれの請求項に記載する発明の技術内容が限定されるものではない。
個々の図は、それぞれが、実施したうちの一例であり、図示した形状のままでなければならないものではなく、変形であっても良い。即ち、機能が適っているものであれば、デザインは適宜であって良いと云うことである。また、図に示した中の他図の一部分を採用しても良いし、一部分を入れ替えるなど任意に設定して良い。
【００８８】
形態ａ、ｂ、ｃのものについて請求項１として請求する。
図１５で説明した如きものを請求項２として請求する。
図２１で説明した如きものを請求項３として請求する。
図１６で説明した如きものを請求項４として請求する。
図２３、２４で説明した如きものについて請求項５として請求する。
図１８、２０に示した滑り止めの措置を施したものについて請求項６として請求する。
図２５で説明した２枚に折れる板を１つのモジュールと位置づけ、該モジュールと請求項３、又は５記載の留め具との組み合わせを請求項７として請求する。
【産業上の利用可能性】
【００８９】
従来、商品陳列棚や、商品陳列台に備えられている棒柵（丸棒）に、紙片を掲示するための適切な留め具がなかった。
本発明は、棒柵あるいは丸棒に紙片を掲示する用途の留め具として、適切な使用ができるだけでなく、板柵の縁、あるいは段ボール箱の切り口の縁など、板状のものの縁に掲示するためにも、適切に使用できるものであり、販売促進に大きく貢献することができる。
【符号の説明】
【００９０】
Ａ    連結する部分(連結部)
Ｂ    天部
Ｃ    表押え
Ｄ    裏押え
ｆ    ストッパーとして機能する部分
ｙ    滑り止めの措置をした部分
Ｅ    丸棒(棒柵など)
Ｆ    段ボール箱
Ｇ    紙片
Ｈ    板片(板柵など)
Ｍ    ２枚に折れる板(挟み板、モジュール)
【図１】
2011206533.tif 000003
【図２】
2011206533.tif 000004
【図３】
2011206533.tif 000005
【図４】
2011206533.tif 000006
【図５】
2011206533.tif 000007
【図６】
2011206533.tif 000008
【図７】
2011206533.tif 000009
【図８】
2011206533.tif 000010
【図９】
2011206533.tif 000011
【図１０】
2011206533.tif 000012
【図１１】
2011206533.tif 000013
【図１２】
2011206533.tif 000014
【図１３】
2011206533.tif 000015
【図１４】
2011206533.tif 000016
【図１５】
2011206533.tif 000017
【図１６】
2011206533.tif 000018
【図１７】
2011206533.tif 000019
【図１８】
2011206533.tif 000020
【図１９】
2011206533.tif 000021
【図２０】
2011206533.tif 000022
【図２１】
2011206533.tif 000023
【図２２】
2011206533.tif 000024
【図２３】
2011206533.tif 000025
【図２４】
2011206533.tif 000026
【図２５】
2011206533.tif 000027